(57)【特許請求の範囲】
【請求項１】
車両内の乗員保護手段のための電圧レギュレータであって、
入力信号を、プリセットされた値を有する出力信号（Ｖｏｕｔ）に変換するコントロールエレメント（Ｔ）と、プリセットされた値を有する前記出力信号（Ｖｏｕｔ）を発生させるために前記コントロールエレメント（Ｔ）を制御する制御回路（１２，１２′）とを有している形式のものにおいて、
前記制御回路（１２，１２′）がプリセット信号（ＶＦＢ１，ＶＦＢ２，Ｖｒｅｆ１，Ｖｒｅｆ２）に基づいて、前記コントロールエレメント（Ｔ）を介して、選択可能な少なくとも２つの異なる値（Ｖ１，Ｖ２）を有する出力信号（Ｖｏｕｔ）をアウトプットし、この際に、前記出力信号（Ｖｏｕｔ）の値（Ｖ１，Ｖ２）を選択するために、構成回路（１４）が少なくとも１つの構成信号（ＣＦ１，ＣＦ２）を受信し、かつ評価し、評価時に算出された構成に基づいて、少なくとも２つの異なる前記プリセット信号（ＶＦＢ１，ＶＦＢ２，Ｖｒｅｆ１，Ｖｒｅｆ２）のうちの１つを選択し、前記選択された値（Ｖ１，Ｖ２）を有する出力信号（Ｖｏｕｔ）をアウトプットするために前記制御回路（１２，１２′）に印加し、
少なくとも１つの前記構成信号（ＣＦ１、ＣＦ２）がピン構成によって発生可能であって、少なくとも１つの構成信号（ＣＦ１、ＣＦ２）のための第１の論理的な信号レベル（Ｌ）を発生させるために、対応する接続ピン（Ｋ１，Ｋ２）がアース（ＧＮＤ）に堅固に接続されており、この際に、少なくとも１つの構成信号（ＣＦ１，ＣＦ２）のための第２の論理的な信号レベル（Ｈ）を発生させるために、対応する接続ピン（Ｋ１、Ｋ２）が開放維持されている
ことを特徴とする集積型レギュレータ。
【請求項２】
少なくとも２つの選択可能なプリセット信号（ＶＦＢ１，ＶＦＢ２，Ｖｒｅｆ１，Ｖｒｅｆ２）が一定にプリセットされた基準信号（Ｖｒｅｆ１，Ｖｒｅｆ２）であるか、または前記出力信号（Ｖｏｕｔ）から発生可能なフィードバック信号（ＶＦＢ１，ＶＦＢ２）である
ことを特徴とする請求項１に記載の集積型レギュレータ。
【請求項３】
前記構成回路（１４）が、第１の値（Ｖ１）を有する前記出力信号（Ｖｏｕｔ）を発生させるために、選択回路（１８′）を介して第１の基準信号（Ｖｒｅｆ１）を選択し、前記制御回路（１２′）に印加し、該制御回路（１２′）が、前記コントロールエレメント（Ｔ）のための第１の制御信号を発生させるために前記第１の基準信号（Ｖｒｅｆ１）を、前記出力信号（Ｖｏｕｔ）から発生されたフィードバック信号（ＶＦＢ）と比較し、この際に、前記構成回路（１４）が、第２の値（Ｖ２）を有する出力信号（Ｖｏｕｔ）を発生させるために、前記選択回路（１８′）を介して第２の基準信号（Ｖｒｅｆ２）を選択し、かつ前記制御回路（１２′）に印加し、該制御回路（１２′）が、前記コントロールエレメント（Ｔ）のための第２の制御信号を発生させるために、前記第２の基準信号（Ｖｒｅｆ２）を、前記出力信号（Ｖｏｕｔ）から発生された前記フィードバック信号（ＶＦＢ）と比較する
ことを特徴とする請求項２に記載の集積型レギュレータ。
【請求項４】
前記構成回路（１４）が、前記第１の値（Ｖ１）を有する前記出力信号（Ｖｏｕｔ）を発生させるために、前記選択回路（１８）を介して第１のフィードバック信号（ＶＦＢ１）を選択し、かつ前記制御回路（１２）に印加し、該制御回路（１２）が、前記コントロールエレメント（Ｔ）のための第１の制御信号を発生させるために、前記第１のフィードバック信号（ＶＦＢ１）を、一定にプリセットされた基準信号（Ｖｒｅｆ）と比較し、この際に、前記構成回路（１４）が、前記第２の値（Ｖ２）を有する前記出力信号（Ｖｏｕｔ）を発生させるために、前記選択回路（１８）を介して第２のフィードバック信号（ＶＦＢ２）を選択し、かつ前記制御回路（１２）に印加し、該制御回路（１２）が、前記コントロールエレメント（Ｔ）のための第２の制御信号を発生させるために、前記第２のフィードバック信号（ＶＦＢ２）を、一定にプリセットされた前記基準信号（Ｖｒｅｆ）と比較する
ことを特徴とする請求項２に記載の集積型レギュレータ。
【請求項５】
様々な分圧比（Ｒ１／Ｒ１１，Ｒ２／Ｒ２１）を有する少なくとも２つの集積された分圧器（１８ａ，１８ｂ）が、前記出力信号（Ｖｏｕｔ）から少なくとも２つの選択可能なフィードバック信号（ＶＦＢ１，ＶＦＢ２）を発生させる
ことを特徴とする請求項４に記載の集積型レギュレータ。
【請求項６】
前記構成回路（１４）が、システム初期化中に、最新の構成の検出およびプリセット信号（ＶＦＢ１，ＶＦＢ２，Ｖｒｅｆ１，Ｖｒｅｆ２）の選択を実施する
ことを特徴とする請求項１から５のいずれか１項に記載の集積型レギュレータ。
【請求項７】
集積型レギュレータ（１０，１０′）の内側または外側に配置されたプルアップ回路（１１）が、開放維持された前記接続ピン（Ｋ１，Ｋ２）を前記第２の論理的な信号レベル（Ｈ）にもたらす
ことを特徴とする請求項１に記載の集積型レギュレータ。
【請求項８】
前記構成回路（１４）が少なくとも２つの前記構成信号（ＣＦ１，ＣＦ２）を受信し、かつ評価し、この際に、前記構成回路（１４）が、少なくとも２つの構成信号（ＣＦ１，ＣＦ２）の論理的な組合せを、前記プリセット信号（ＶＦＢ１，ＶＦＢ２，Ｖｒｅｆ１，Ｖｒｅｆ２）を選択するために評価する
ことを特徴とする請求項１から７のいずれか１項に記載の集積型レギュレータ。
【請求項９】
前記構成回路（１４）が、少なくとも２つの前記構成信号（ＣＦ１，ＣＦ２）の検出された有効な論理的組合せにおいて、この検出された論理的な組合せに割り当てられたプリセット信号（ＶＦＢ１，ＶＦＢ２，Ｖｒｅｆ１，Ｖｒｅｆ２）を選択し、少なくとも２つの前記構成信号（ＣＦ１，ＣＦ２）の検出された無効な論理的組合せにおいて前記出力信号（Ｖｏｕｔ）のアウトプットを阻止する
ことを特徴とする請求項８に記載の集積型レギュレータ。
【請求項１０】
前記構成回路（１４）が、少なくとも２つの前記構成信号（ＣＦ１，ＣＦ２）の検出された論理的な組合せをロックし、状態記憶装置（１６）にメモリーする
ことを特徴とする請求項８又は９に記載の集積型レギュレータ。
【請求項１１】
車両内の乗員保護手段を制御するための制御装置であって、レギュレータ装置（３，３′）を有しており、該レギュレータ装置（３，３′）が前記制御装置（１，１′）内の少なくとも１つの電圧をコントロールする形式のものにおいて、
前記レギュレータ装置（３，３）が、請求項１から１０のいずれか１項に記載の、少なくとも１つの集積型レギュレータ（１０，１０′）を有している
ことを特徴とする車両内の乗員保護手段を制御するための制御装置。
【発明の詳細な説明】
【技術分野】
【０００１】
本発明は、独立請求項１の前文に記載した、集積型レギュレータ、特に車両内の乗員保護手段のための電圧レギュレータ、および独立請求項１２の前文に記載した、車両内の乗員保護手段を制御するための制御装置に関する。
【背景技術】
【０００２】
従来技術により公知の集積型電圧レギュレータは、一定にプリセットされた様々な出力電圧を発生させる可能性を提供する。従って、調整しようとする出力電圧だけが異なっている、多くの電圧レギュレータの変化実施例が存在するが、この場合、各電圧値のために別個のレギュレータを使用する必要がある。同様に、出力電圧を、外部の分圧器を適合させることによって可変に調節することができる電圧レギュレータが存在する。この場合、例えば１．２Ｖの一定にプリセットされたフィードバック電圧（“Ｆｅｅｄｂａｃｋ”−Ｓｐａｎｎｕｎｇ）が調整され、このフィードバック電圧は、少なくとも２つの抵抗を有する外部の分圧器を介して、レギュレータの出力電圧から分圧低下される。分圧器の変化によって、常にフィードバック電圧よりも大きい、レギュレータの出力電圧が調節される。この場合、存在する可変な回路は多くの場合、非常に故障し易い。外部の分圧器抵抗のうちの１つが単独で故障すると、これが直ちに、場合によっては不都合な、間違った出力電圧発生の原因となる。故障検出は、多くの場合、非常に困難である。何故ならばレギュレータは、欠陥のある大きすぎる若しくは小さすぎる抵抗値と、意図的に選択された大きすぎる若しくは小さすぎる抵抗値とを区別することができないからである。
【０００３】
特許文献１には、例えば車両用の乗員保護手段を制御するための制御装置および方法について記載されている。記載された制御装置は、供給モジュールを有していて、この供給モジュールは、乗員保護手段を制御するための入力電圧を変化させる。車両供給電圧と供給モジュールの入力電圧との間に電圧レギュレータが接続されており、この電圧レギュレータは、入力電圧を、プリセットされた第１の値に限定する。
【先行技術文献】
【特許文献】
【０００４】
【特許文献１】ドイツ連邦共和国特許公開第１０２００９０４７４８０号明細書
【発明の概要】
【０００５】
これに対して、独立請求項１の特徴を有する、車両内の乗員保護手段のための本発明による集積型レギュレータ、およびこの集積型レギュレータを有する乗員保護手段を制御するための、独立請求項１２の特徴を有する、対応する制御装置は、集積型レギュレータの出力電圧が、対応する構成信号を介して簡単に選択され得る、という利点を有している。これによって、特に集積型電圧レギュレータとして使用した場合、供給電圧要求の変化にフレキシブルに反応して、システムモジュールに選択的に少なくとも２つの異なる電圧を供給することができる。従って、例えば型式および構成に応じて３．３Ｖまたは１．２Ｖが供給される様々なマイクロコントローラの互換性が得られ、様々なマイクロコントローラ間の切り替えが好適な形式で問題なく可能である。しかも、本発明による集積型レギュレータの実施例は、単独の故障に対して頑丈であり、包括的な診断可能性を提供し、従って、ＩＳＯ２６２６２による安全性要求を満たす必要がある、安全性に問題のあるシステムのためにも使用することができる。
【０００６】
本発明の核心は、様々な型式のレギュレータを使用することなしに、また外部の分圧器に適合させることなしに、しかも追加的な第２のレギュレータを使用することなしに、集積型レギュレータの出力信号を変化させる、という点にある。従って、本発明による集積型レギュレータの実施例において例えばピン構造を適合させるだけによって、費用をかけずに出力信号を変化させることができる。従って、例えば少なくとも１つの開放維持されたピン若しくは、アースに接続された少なくとも１つのピンにより、集積型レギュレータの様々な構成を表わすことができる。従って、マイクロコントローラを含むシステムの大部分が既に運転されているときに初めて、正しい出力信号への切り替えが行われるソフトウエアプログラミングとは異なり、システム初期化の開始時に既に、前記構成のうちの１つが提供されるので、出力信号は直接的に正しい値に設定される。これによって好適な形式で、信号監視構想および安全構想との最適な統合が可能である。可変な外部の分圧器その他を必要とすることなしに、レギュレータモジュールを完全に統合することによって、さらに、従来技術により公知の、外部の分圧器抵抗を有する解決策と比較して、精度が著しく改善される。構成可能性を適当に選択することによって、例えば複数の構成ピンおよび／または限定された数の許容状態および／またはピン問合せのための時間的な制限によって、本発明による集積型レギュレータの実施例は、構成ピンにおいて発生した単独の欠陥に対して頑丈である、つまり構成ピンにおける個別の間違った短絡によって誤った出力信号が発生することはない。多重の欠陥によって生ぜしめられる欠陥構成は、好適な形式で、検出された構造を表示する状態記録装置を簡単に読み取ることによって、ソフトウエア問合せを介して検出され得る。
【０００７】
本発明の実施例によれば、集積型レギュレータ、特に車両内の乗員保護手段のための電圧レギュレータが提供されており、この電圧レギュレータは、入力信号を、プリセットされた値を有する出力信号に変化させるコントロールエレメントと、制御回路とを有しており、この制御回路は、プリセットされた値を有する出力信号を発生させるために、コントロールエレメントをフィードバック信号に基づいて制御する。本発明によれば、制御回路は、プリセット信号に基づいて、コントロールエレメントを介して、選択可能な少なくとも２つの異なる値を有する出力信号をアウトプットし、この際に、出力信号の値を選択するために、構成回路が少なくとも１つの構成信号を受信し、かつ評価し、評価時に算出された構成に基づいて、少なくとも２つの異なるプリセット信号のうちの１つを選択し、選択された値を有する出力信号をアウトプットするために制御回路に印加する。
【０００８】
さらに、制御装置内の少なくとも１つの電圧をコントロールするレギュレータ装置を有する、車両内の乗員保護手段を制御するための制御装置が提案されている。本発明によれば、このレギュレータ装置は、本発明による少なくとも１つの集積型レギュレータを有している。
【０００９】
従属請求項に記載した手段および実施態様によって、独立請求項１に記載された、車両内の乗員保護手段のための集積型レギュレータの好適な改善が可能である。
【００１０】
少なくとも２つの選択可能なプリセット信号が一定にプリセットされた基準信号であるか、または前記出力信号から発生可能なフィードバック信号であれば、特に好適である。入力信号を出力信号に調整若しくは変換するために、出力信号から発生されたフィードバック信号がプリセットされた基準信号と比較され、それによって、コントロールエレメントのための様々な制御信号が、選択可能な様々な値を有する出力信号をアウトプットするために、一定にプリセットされた様々な基準信号をプリセットすることによって、または様々なフィードバック信号をプリセットすることによって、発生される。
【００１１】
本発明による集積型レギュレータの好適な実施態様によれば、構成回路が、第１の値を有する出力信号を発生させるために、選択回路を介して第１の基準信号を選択し、制御回路に印加し、該制御回路が、コントロールエレメントのための第１の制御信号を発生させるために第１の基準信号を、出力信号から発生されたフィードバック信号と比較し、この際に、構成回路が、第２の値を有する出力信号を発生させるために、選択回路を介して第２の基準信号を選択し、かつ制御回路に印加し、該制御回路が、コントロールエレメントのための第２の制御信号を発生させるために、第２の基準信号を、出力信号から発生されたフィードバック信号と比較する。選択回路は、本発明の簡単な構成によれば、２つのプリセット信号だけを有する、簡単な半導体スイッチとして構成されており、この半導体スイッチは、制御信号に基づいて第１の基準信号または第２の基準信号を選択し、かつ選択されたプリセット信号として制御回路に印加する。
【００１２】
本発明による集積型レギュレータの別の好適な実施態様によれば、構成回路が、第１の値を有する出力信号を発生させるために、選択回路を介して第１のフィードバック信号を選択し、かつ制御回路に印加し、該制御回路が、コントロールエレメントのための第１の制御信号を発生させるために、第１のフィードバック信号を、一定にプリセットされた基準信号と比較し、この際に、構成回路が、第２の値を有する出力信号を発生させるために、選択回路を介して第２のフィードバック信号を選択し、かつ制御回路に印加し、該制御回路が、コントロールエレメントのための第２の制御信号を発生させるために、第２のフィードバック信号を、一定にプリセットされた前記基準信号と比較する。
【００１３】
本発明による集積型レギュレータの別の好適な実施態様によれば、様々な分圧比を有する少なくとも２つの集積された分圧器が、出力信号から少なくとも２つの選択可能なフィードバック信号を発生させることができる。このことはつまり、様々な出力電圧を生ぜしめる、プリセットされた様々な抵抗組合せを有する２つの分圧器が使用されるということである。選択回路は、本発明の簡単な構成によれば、２つのプリセット信号だけを有していて、例えば簡単な半導体スイッチとして構成されており、この半導体スイッチが、制御信号に基づいて、第１の分圧器の出力信号または第２の分圧器の出力信号を選択し、選択されたプリセット信号として制御回路に印加する。
【００１４】
本発明による集積型レギュレータの別の好適な実施態様によれば、構成回路が、システム初期化中に、最新の構成の検出およびプリセット信号の選択を実施する。これによって、ソフトウエアプログラミングにおけるよりも著しく早期に、正しい出力信号が提供される。
【００１５】
本発明による集積型レギュレータの別の好適な実施態様によれば、少なくとも１つの構成信号がピン構成によって発生可能であって、少なくとも１つの構成信号のための第１の論理的な信号レベルを発生させるために、対応する接続ピンがアースに堅固に接続されており、この際に、少なくとも１つの構成信号のための第２の論理的な信号レベルを発生させるために、対応する接続ピンが開放維持されている。しかも、集積型レギュレータの内側または外側に配置されたプルアップ回路は、開放維持された接続ピンを第２の論理的な信号レベルにもたらす。このようなプルアップ回路は、好適な形式でオーム抵抗を有しており、このオーム抵抗は、好適な形式で第２の論理的な信号レベルを表わすプリセットされた電圧値に接続されている。ピン構成を介して少なくとも１つの構成信号を発生させることによって、好適な形式で、本発明による集積型レギュレータを簡単かつ安価に実現することができる。
【００１６】
本発明による集積型レギュレータの別の好適な実施態様によれば、構成回路が少なくとも２つの構成信号を受信し、かつ評価し、この際に、構成回路が、少なくとも２つの構成信号の論理的な組合せを、プリセット信号を選択するために評価する。さらに、構成回路は、少なくとも２つの構成信号の検出された有効な論理的組合せにおいて、この検出された論理的な組合せに割り当てられたプリセット信号を選択し、少なくとも２つの構成信号の検出された無効な論理的組合せにおいて前記出力信号のアウトプットを阻止する。誤診断を改善するために、構成回路は、少なくとも２つの構成信号の検出された論理的な組合せをロックし、状態記憶装置にメモリーする。検出された論理的な組合せをロックすることによって、好適な形式で、運転中に発生した欠陥による構成の変化は、避けられる。
【図面の簡単な説明】
【００１７】
【図１】本発明による集積型レギュレータの第１実施例を有する乗員保護手段のための制御装置の一部の概略的なブロック制御回路図である。
【図２】本発明による集積型レギュレータの第２実施例を有する乗員保護手段のための制御装置の一部の概略的なブロック制御回路図である。
【発明を実施するための形態】
【００１８】
本発明の実施例が、図面に示され、以下に詳しく説明されている。図面中、同じ構成部材、若しくは同じまたは類似の機能を有する構成要素には同じ符号が付けられている。
【００１９】
自動車に設けられる乗員保護手段のための最新の制御装置は、乗員保護手段の運転のために必要なすべての供給電圧を乗員保護システム内で自ら発生させることができる点で優れている。従って、車両のバッテリ電圧の変動に左右されずに正しい機能性が与えられることが保証される。使用された電圧レギュレータは、リニアレギュレータとしてまたはＤＣ／ＤＣスイッチングコンバータとして構成されていて、例えばマイクロコントローラ、センサ、通信インターフェース、ランプ駆動装置等の別の乗員保護システムモジュールから直接供給するための一定にプリセットされた出力電圧を提供する。最新の乗員保護システムでは、例えば６．７Ｖ，５．０Ｖおよび３．３Ｖの出力電圧が提供される。
【００２０】
図１および図２に示されているように、図示の実施例では車両内の乗員保護手段のための電圧レギュレータとして構成された、本発明による集積型レギュレータ１０，１０′の図示の実施例は、入力信号Ｖｉｎをプリセットされた値を有する出力信号Ｖｏｕｔに変換するコントロールエレメントＴと、プリセットされた値を有する出力信号Ｖｏｕｔを発生させるためのコントロールエレメントＴを制御する制御回路１２，１２′とを有している。本発明に従って、制御回路１２，１２′は、プリセット信号ＶＦＢ１，ＶＦＢ２，Ｖｒｅｆ１，Ｖｒｅｆ２に基づいて、コントロールエレメントＴを介して少なくとも２つの異なる選択可能な値Ｖ１，Ｖ２を有する出力信号Ｖｏｕｔをアウトプットし、この場合、出力信号Ｖｏｕｔの値Ｖ１，Ｖ２を選択するために、構成回路１４が、少なくとも１つの構成信号ＣＦ１，ＣＦ２を、受信し、かつ評価し、評価の際に算出された、少なくとも２つの異なるプリセット信号ＶＦＢ１，ＶＦＢ２，Ｖｒｅｆ１，Ｖｒｅｆ２のうちの１つの構成に基づいて選択し、選択された値Ｖ１，Ｖ２を有する出力信号Ｖｏｕｔをアウトプットするために、制御回路１２，１２′に印加する。
【００２１】
図１および図２にさらに示されているように、少なくとも２つの選択可能なプリセット信号ＶＦＢ１，ＶＦＢ２，Ｖｒｅｆ１，Ｖｒｅｆ２は、一定にプリセットされた基準信号Ｖｒｅｆ１，Ｖｒｅｆ２であるか、または出力信号Ｖｏｕｔから発生可能なフィードバック信号ＶＦＢ１，ＶＦＢ２であってよい。入力信号Ｖｉｎを出力信号Ｖｏｕｔに調整若しくは変化させるために、 制御回路１２，１２′は、それぞれ１つの、出力信号Ｖｏｕｔから発生されたフィードバック信号ＶＦＢを、基準信号Ｖｒｅｆと比較する。従って、選択可能な様々な値Ｖ１，Ｖ２を有する出力信号Ｖｏｕｔをアウトプットするために、コントロールエレメントＴのための様々な制御信号が、一定にプリセットされた基準信号Ｖｒｅｆ１，Ｖｒｅｆ２をプリセットすることによって、または様々なフィードバック信号ＶＦＢ１，ＶＦＢ２をプリセットすることによって発生される。
【００２２】
図１にさらに示されているように、様々な値Ｖ１，Ｖ２を有する少なくとも２つのアウトプット信号Ｖｏｕｔを発生させるために、制御回路１２にアウトプット可能な、少なくとも２つのフィードバック信号ＶＦＢ１，ＶＦＢ２が設けられており、この場合、構成回路１４は、少なくとも１つの構成信号ＣＦ１，ＣＦ２を、受信し、かつ評価し、少なくとも２つのフィードバック信号ＶＦＢ１，ＶＦＢ２のうちの１つの評価に基づいて、制御回路１２にアウトプットするために選択する。図示の実施例では、レギュレータ１０内に集積された２つの分圧器１８ａ，１８ｂが、出力信号Ｖｏｕｔから少なくとも２つの選択可能なフィードバック信号ＶＦＢ１，ＶＦＢ２を発生させる。集積された２つの分圧器１８ａ，１８ｂは、それぞれ２つの抵抗Ｒ１，Ｒ１１，Ｒ２，Ｒ２１を有しており、その抵抗値は、集積された２つの分圧器１８ａ，１８ｂが、フィードバック信号ＶＦＢ１，ＶＦＢ２を発生させるための様々な分圧比Ｒ１／Ｒ１１若しくはＲ２／Ｒ２１を有するように選択されている。
【００２３】
図１にさらに示されているように、構成回路１４は、第１の値Ｖ１を有する出力信号Ｖｏｕｔを発生させるために、選択回路１８を介して第１のフィードバック信号ＶＦＢ１を選択し、前記選択回路１８は第１のフィードバック信号ＶＦＢ１を制御回路１２に印加する。制御回路１２は、コントロールエレメントＴのための第１の制御信号を発生させるために、第１のフィードバック信号ＶＦＢ１を一定にプリセットされた基準信号Ｖｒｅｆと比較する。第２の値Ｖ２を有する出力信号Ｖｏｕｔを発生させるために、第２のフィードバック信号ＶＦＢ２が選択回路１８を介して選択され、この選択回路１８は、選択された第２のフィードバック信号ＶＦＢ２を制御回路１２に印加する。コントロールエレメントＴのための第２の制御信号を発生させるために、評価回路１２は、第２のフィードバック信号ＶＦＢ２を一定にプリセットされた基準信号Ｖｒｅｆと比較する。
【００２４】
図２にさらに示されているように、様々な値Ｖ１，Ｖ２を有する２つの出力信号Ｖｏｕｔを発生させるために、制御回路１２′にアウトプット可能な少なくとも２つの基準信号Ｖｒｅｆ１，Ｖｒｅｆ２が設けられており、この場合、構成回路１４は少なくとも１つの構成信号ＣＦ１，ＣＦ２を受信し、評価し、少なくとも２つの基準信号Ｖｒｅｆ１，Ｖｒｅｆ２のうちの１つの評価に基づいて、制御回路１２にアウトプットするために選択する。
【００２５】
図２にさらに示されているように、構成回路１４は、第１の値Ｖ１を有する出力信号Ｖｏｕｔを発生させるために、第１の基準信号Ｖｒｅｆ１を選択回路１８′を介して選択し、この選択回路１８′は、選択された第１の基準信号Ｖｒｅｆ１を評価回路１２′に印加する。コントロールエレメントＴのための第１の制御信号を発生させるために、制御回路１２′は、基準信号Ｖｒｅｆ１を出力信号Ｖｏｕｔから発生されたフィードバック信号ＶＦＢと比較する。第２の値Ｖ２を有する出力信号Ｖｏｕｔを発生させるために、構成回路１４が第２の基準信号Ｖｒｅｆ２を選択回路１８′を介して選択し、この選択回路１８′は、選択された第２の基準信号Ｖｒｅｆ２を制御回路１２′に印加する。コントロールエレメントＴのための第２の制御信号を発生させるために、制御回路１２′は、第２の基準信号Ｖｒｅｆ２を、出力信号Ｖｏｕｔから発生されたフィードバック信号ＶＦＢと比較する。図示の第２実施例では、レギュレータ１０′内に集積された分圧器１８ａが、出力信号Ｖｏｕｔからフィードバック信号ＶＦＢを発生させ、このフィードバック信号ＶＦＢが選択された基準信号Ｖｒｅｆ１，Ｖｒｅｆ２と比較される。集積された分圧器１８ａは２つの抵抗Ｒ１，Ｒ１１を有しており、これらの抵抗はプリセットされた分圧比Ｒ１／Ｒ１１を有している。
【００２６】
図１および図２にさらに示されているように、集積型レギュレータ１０，１０′は、図示の実施例ではそれぞれＡＳＩＣモジュール（ＡＳＩＣ：特定用途向け集積回路）として構成されていて、乗員保護手段のための制御装置１，１′内のレギュレータ装置３，３′の一部である。図示の実施例では、集積型レギュレータ１０，１０′は、それぞれ２つの構成ピンＫ１，Ｋ２と、入力信号Ｖｉｎが印加される１つの入力ピンと、出力信号Ｖｏｕｔをアウトプットするための２つの出力ピンとを有しており、２つの出力ピンの間に、外部回路５が設けられていて、この外部回路５は、誤接続防止ダイオードＤと、信号フィルタリングのためのキャパシタンスＣおよびインダクタンスＬを有している。選択的に、本発明によるレギュレータ１０，１０′は、乗員保護システムの制御装置１，１′のシステムＡＳＩＣモジュール（ＡＳＩＣ：特定用途向け集積回路）内に集積されていてもよい。
【００２７】
電圧レギュレータとして実現された本発明によるレギュレータ１０，１０′は、レギュレータアウトプットにおいて、選択的に例えば第１の値Ｖ１＝１．２Ｖまたは第２の値Ｖ２＝３．３Ｖを有する出力電圧Ｖｏｕｔを自由に使用する可能性を提供する。この電圧の選択は、２つの構成ピンＫ１，Ｋ２を介して行われる。これら２つの構成ピンＫ１，Ｋ２の状態は、対応する構成ピンＫ１，Ｋ２がアースＧＮＤに外部で短絡することによって実現される論理的な低レベル（Ｌ）であるか、または開放した構成ピンＫ１，Ｋ２によって実現される論理的な高レベル（Ｈ）である。図示の実施例では、それぞれ集積型レギュレータ１０，１０′内に配置されたプルアップ回路１１が、開放維持された構成ピンＫ１，Ｋ２を論理的な高レベル（Ｈ）にもたらしている。プルアップ回路１１は、各構成ピンＫ１，Ｋ２のためにそれぞれ１つのプルアップ抵抗Ｒｐｕ１，Ｒｐｕ２を有しており、これらのプルアップ抵抗Ｒｐｕ１，Ｒｐｕ２はそれぞれ、対応する構成ピンＫ１，Ｋ２および、プルアップ電圧Ｖｐｕを有する別の接続部に接続されていて、このプルアップ電圧Ｖｐｕのレベルは概ね論理的な高レベル（Ｈ）に相当する。構成ピンＫ１，Ｋ２のレベルは構成ピンＣＦ１，ＣＦ２として構成回路１４によってフィードバックして読み取られ、評価される。この場合、最新の構成の検出は、例えばそれぞれ少なくとも１つの電圧コンパレータによって行われる。２つの構成信号ＣＦ１，ＣＦ２を有する２つの構成ピンＫ１，Ｋ２を使用すれば、以下の表１に示す４つの構成組合せが可能である。
【００２８】
【表１】
0006002838.tif 000002
【００２９】
図示の実施例では、２つの構成ピンＫ１，Ｋ２における４つの構成組合せのうちの２つの構成信号ＣＦ１，ＣＦ２が異なる論理レベル（Ｈ）（Ｌ）を有している、２つの組み合わせだけが有効である。これによって、構成ピンＫ１，Ｋ２のうちの１つが外部に短絡することによって誤った有効状態が得られないように、保証されている。従って、このシステムは、単独の欠陥に対して頑丈である。有効な構成組合せが検出されると、構成回路１４は選択回路１８，１８′を介して対応するプリセット信号ＶＦＢ１，ＶＦＢ２，Ｖｒｅｆ１，Ｖｒｅｆ２を選択し、次いでこのプリセット信号ＶＦＢ１，ＶＦＢ２，Ｖｒｅｆ１，Ｖｒｅｆ２は、コントロールエレメントＴのための制御信号を発生させるために制御回路１２，１２′に印加される。
【００３０】
２つの構成信号ＣＦ１，ＣＦ２が同じ論理レベルを有している無効状態が検出されると、構成可能な本発明によるレギュレータ１０，１０′若しくはその電圧供給は作動停止される。選択的に、レギュレータ１０，１０′から誤った出力電圧がアウトプットされないことを保証する別の安全機構が使用されてもよい。いずれの場合でも、接続された構成部材例えばマイクロコントローラに、誤った電圧が供給されることは避けられる。しかも、システム全体は、リセット状態、つまり「非作動」若しくは安全な状態に保たれる。
【００３１】
構成ピンＫ１，Ｋ２における構成信号ＣＦ１，ＣＦ２の評価は、本発明に従って集積型レギュレータ１０，１０′の内部論理回路が十分に供給されていれば直ちに、システムの初期化段階の開始時に行われる。それによって、供給されたシステム構成部材がシステム全体リセットによって解除される前に、レギュレータ構成が直ちに正しく検出され、このレギュレータ構成に接続された、本発明による集積型レギュレータ１０，１０′の出力電圧Ｖｏｕｔが直ちに所望の値Ｖ１またはＶ２に正しく調節されることが、保証される。これによって、システムの誤りのない電圧供給が保証されている。構成ピンＫ１，Ｋ２における構成信号ＣＦ１，ＣＦ２の初期読み取り後に、検出された構成はロックされるので、ピン状態のさらなる変化が、レギュレータ１０，１０′に影響を及ぼすことはない。従って、制御装置１，１′の通常運転中に、例えばＥＭＶ作用下で誤った電圧変化が生じることはない。また、構成ピンの検出された構成は、好適にはレジスタとして構成された記憶手段１６に記憶される。次いで、記憶手段１６は、運転中に例えばソフトウエア問合せによって読み取られる。これによって、場合によっては多重の欠陥によって誤って検出された構成を検知することができ、エラー表示することができる。
【００３２】
本発明による集積型レギュレータ１０，１０′の図示していない択一的な実施例において、構成ピンの数若しくは論理状態の数が増大され、相応に多くのプリセット信号ＶＦＢ１，ＶＦＢ２，Ｖｒｅｆ１，Ｖｒｅｆ２が維持されている限り、２つだけより多い出力電圧を調節することもできる。従って、それぞれ２つの論理状態（Ｈ／Ｌ）を占めることができる、例えば３つの構成ピンによって、単独の欠陥に対する頑丈さが低下されることなしに、既に４つの有効な構成組合せ（Ｌ−Ｌ−Ｈ，Ｌ−Ｈ−Ｌ，Ｈ−Ｌ−ＬおよびＨ−Ｈ−Ｈ）が選択のためにプリセットされ得る。同じことは、論理的な高レベルおよび論理的な低レベルに追加して、さらに中間レベルが追加的な電圧コンパレータによって検波される場合にもあてはまる。
【００３３】
さらに、構成ピンにおける検波閾値および電圧供給方法は、図示の実施例とは異なって構成されてもよい。本発明による集積型レギュレータ１０，１０′の図示の実施例では、それぞれ内部のプルアップ電圧Ｖｐｕを有する集積されたプルアップ回路１１が使用される。開放された構成ピンにおいて高レベル（Ｈ）を発生させるために、選択的に、外部のプルアップ回路、つまり集積型レギュレータ１０，１０′の外に配置されたプルアップ回路、および相応の外部のプルアップ回路を使用してもよい。同様に、様々な論理状態、例えばアースＧＮＤへの接続または様々な電圧値、例えば５．０Ｖ，３．３Ｖその他への接続を検出するための様々な電圧レベルが可能である。本発明による集積型レギュレータの実施例は、例えばリニアレギュレータまたはＤＣ／ＤＣスイッチングコンバータとして構成されてよい。
【符号の説明】
【００３４】
１，１′  制御装置
３，３′  レギュレータ装置
１０，１０′  集積型レギュレータ
１１  プルアップ回路
１２，１２′  制御回路
１４  構成回路
１６  記憶手段、状態記憶装置
１８，１８′  選択回路
１８ａ，１８ｂ  分圧器
Ｃ  キャパシタンス
ＣＦ１，ＣＦ２  構成信号
Ｄ  誤接続防止ダイオード
ＧＮＤ  アース
Ｋ１，Ｋ２  構成ピン
Ｌ  インダクタンス
Ｒ１，Ｒ１１，Ｒ２，Ｒ２１  抵抗
Ｒｐｕ１，Ｒｐｕ２  プルアップ抵抗
Ｔ  コントロールエレメント
ＶＦＢ，ＶＦＢ１，ＶＦＢ２  フィードバック信号、プリセット信号
Ｖｉｎ  入力信号
Ｖｏｕｔ  出力信号
Ｖｐｕ  プルアップ電圧
Ｖｒｅｆ１，Ｖｒｅｆ２  プリセット信号、基準信号
【図１】
0006002838.tif 000003
【図２】
0006002838.tif 000004